(57)【要約】      （修正有）【課題】文字等の細部及び広範囲の消去を容易に行うことができ、保管・運搬を便宜なものとし、消しゴムの折れや破損を防止し、上記消しゴムの角部を再生することのできる消しゴムの提供。【解決手段】外方側消しゴム部１１と、上記外方側消しゴム部１１内方に配置される内方側消しゴム部１２とを備え、上記外方側消しゴム部１１には内方側消しゴム部１２の収納部１４が設けられ、内方側消しゴム部１２は上記収納部１４内に移動可能に配置され、上記内方側消しゴム部１２の使用時には上記外方側消しゴム部１１の外方に突出する。【選択図】図１
2005335211.tif 000002
【特許請求の範囲】
【請求項１】
外方側消しゴム部と、上記外方側消しゴム部内方に配置される内方側消しゴム部とを備え、
上記外方側消しゴム部には内方側消しゴム部の収納部が設けられ、内方側消しゴム部は上記収納部内に移動可能に配置され、上記内方側消しゴム部の使用時には上記外方側消しゴム部の外方に突出することを特徴とする消しゴム。
【請求項２】
上記収納部は上記外方側消しゴム部を貫通して設けられ、上記外方側消しゴム部外方から上記内方側消しゴム部を押圧することにより上記内方側消しゴム部を上記外方側消しゴム部外方へ突出させうるように構成されていることを特徴とする請求項１記載の消しゴム。
【請求項３】
上記外方側消しゴム部は全体直方体に形成され、上記内方側消しゴム部は上記外方側消しゴム部と同一の長さ寸法に形成されていることを特徴とする請求項１乃至２記載の消しゴム。
【請求項４】
上記内方側消しゴム部は断面円形に形成されていることを特徴とする請求項１乃至３記載の消しゴム。
【請求項５】
上記内方側消しゴム部は断面多角形に形成されていることを特徴とする請求項１乃至３記載の消しゴム。
【発明の詳細な説明】
【技術分野】
【０００１】
本発明は、消しゴムに係り、特に細部を消すことができるとともに、上記消しゴムの角部を再生することができる消しゴムに関する。
【背景技術】
【０００２】
従来から、無底のケース状筒体と、上記筒体と一体的に内装し且つ一端を上記筒体より突出して形成された消しゴムが存在する（特許文献１）。
また、孔付き消しゴムの孔に、芯消しゴムを嵌め外しできるよう構成した孔付き消しゴムが存在する（特許文献２）。
また、中央孔を備え弾性を有した円筒状消しゴムを外面とし、中央孔に円筒状消しゴムと別性質に円柱状消しゴムを着脱自在に挿入した消しゴム体が存在する（特許文献３）
【０００３】
【特許文献１】実開昭５５−１３６５９５号
【特許文献２】実開昭５９−２４３９６号
【特許文献３】実開昭５７−１９１５９８号
【発明の開示】
【発明が解決しようとする課題】
【０００４】
ここで、特許文献１にかかる発明は、上記筒体は消しゴムであるため、使用により内装した消しゴムが摩耗した場合であっても、上記筒体を剥く必要がないが、上記使用による摩耗により、消しゴムの角部が丸くなるため紙面等に書かれた文字等の細部を消去しにくくなるという不具合があった。
【０００５】
また、特許文献２、３にかかる考案は、孔付き消しゴムの孔に、芯消しゴム等を嵌め外しできるよう構成されたものであるが、上記考案にかかる消しゴムは、上記芯消しゴムを上記孔付消しゴム内に収納させるものではないため、上記芯消しゴムが上記孔付消しゴムより突出している場合にあっては、上記消しゴムを保管・運搬の際に上記芯消しゴムが折れや破損を生ずる場合がある、という不具合があった。
【０００６】
そこで、本発明が解決しようとする課題は、文字等の細部及び広範囲の消去を容易に行うことができるとともに、保管・運搬を便宜なものとし、消しゴムの折れや破損を防止し、上記消しゴムの角部を再生することのできる消しゴムの提供を図ることにある。
【課題を解決するための手段】
【０００７】
このような技術的課題解決のため、請求項１の記載の発明にあっては、外方側消しゴム部１１と、上記外方側消しゴム部１１内方に配置される内方側消しゴム部１２とを備え、上記外方側消しゴム部１１には内方側消しゴム部１２の収納部１４が設けられ、内方側消しゴム部１２は上記収納部１４内に移動可能に配置され、上記内方側消しゴム部１２の使用時には上記外方側消しゴム部１１の外方に突出することを特徴とする消しゴムに関するものである。
したがって、請求項１記載の発明にあっては、上記収納部１４に内方側消しゴム部１２が収納されており、使用時には上記内方側消しゴム部１２を突出することができる。
【０００８】
請求項２記載の発明は、上記収納部１４は上記外方側消しゴム部１１を貫通して設けられ、上記外方側消しゴム部１１外方から上記内方側消しゴム部１２を押圧することにより上記内方側消しゴム部１２を上記外方側消しゴム部１１外方へ突出させうる請求項１記載の収納容器に関するものである。
したがって、請求項２記載の発明にあっては、上記内方側消しゴム部１２を外方から押圧することにより、外方へ突出させることができる。
【０００９】
請求項３記載の発明は、上記外方側消しゴム部１１は全体直方体に形成され、上記内方側消しゴム部１２は上記外方側消しゴム部１１と同一の長さ寸法に形成されていることを特徴とする請求項１乃至２記載の消しゴムに関するものである。
したがって、請求項３記載の発明にあっては突出部が形成されないことから、上記内方側消しゴム部１２が細長い場合であっても、上記内方側消しゴム部１２の折れや破損から保護することができる。
【００１０】
請求項４記載の発明は、上記内方側消しゴム部１２は断面円形に形成されていることを特徴とする請求項１乃至３記載の消しゴムに関するものである。
したがって、請求項４記載の発明にあっては、上記円筒状に形成された内方側消しゴム部１２の円形の端縁部により、上記内方側消しゴム部１２を使用する角度に関わらず紙面等に書かれた直線状細部の消去を容易に行うことができる。
【００１１】
請求項５記載の発明は、上記内方側消しゴム部１２は断面多角形に形成されていることを特徴とする請求項１乃至３記載の消しゴムに関するものである
したがって、請求項５記載の発明にあっては、上記多角形を構成する角部により、紙面等に書かれた文字等の細部を消去することができる。 
【発明の効果】
【００１２】
本発明は、上記のように構成されているので、以下の効果を奏する。
請求項１記載の発明によれば、上記外方側消しゴム部１１には、収納部１４が設けられていることから、上記内方側消しゴム部１２の未使用時には、上記内方側消しゴム部１２を上記外方側消しゴム部１１内に収納することができるため、上記消しゴム１０の保管・運搬に便宜である。
上記内方側消しゴム部１２は、移動可能に配置されていることから、上記内方側消しゴム部１２の使用時には、上記内方側消しゴム部１２を容易に外方に突出させることができ、突出した上記内方側消しゴム部１２により、紙面等に書かれた文字等の細部を消去することができる。
上記内方側消しゴム部１２が、上記外方側消しゴム部１１内の収納部１４に収納されている場合は、上記消しゴムは、上記内方側消しゴム部１２及び上記外方側消しゴム部１１の両方を紙面等に書かれた鉛筆等の軌跡に当接することができ、紙面等に書かれた文字等を広い範囲にわたって容易に消去することができる。
上記内方側消しゴム部１２が、上記外方側消しゴム部１１内の収納部１４に収納されている場合において、紙面等に書かれた文字等を消去することにより、上記外方側消しゴム部１１が摩耗すると同時に上記内方側消しゴム部１２が摩耗し、上記内方側消しゴム部１２の角部を再生することができる。
また、上記内方側消しゴム部１２が、上記外方側消しゴム部１１内の収納部１４に収納されている場合において、上記内方側消しゴム部１２の一部を上記外方側消しゴム部より突出させた状態で、紙面等に書かれた文字等を消去することにより、上記内方側消しゴム部１２の角部を再生することができる。
【００１３】
請求項２記載の発明によれば、上記収納部１４は、上記外方側消しゴム部１１を貫通して設けられていることから、上記外方側消しゴム部１１外方から、上記内方側消しゴム部１２を鉛筆等で押圧して、上記内方側消しゴム部１２を上記外方側消しゴム部１１の外方へ突出させることができる。
上記外方側消しゴム部１１の収納部１４に収納された上記内方側消しゴム部１２を容易に突出させることができ、突出した上記内方側消しゴム部１２により、紙面等に書かれた文字等の細部を消去することができる。
【００１４】
請求項３記載の発明によれば、上記外方側消しゴム部１１と上記内方側消しゴム部１２は、同一の長さ寸法に形成されていることから、上記内方側消しゴム部１２を上記外方側消しゴム部１１内の収納部１４に収納した場合にあっては、上記内方側消しゴム部１２は上記外方側消しゴム部１１内に完全に収納されるため上記消しゴム１０の運搬や保管に便宜なものとなるとともに、上記内方側消しゴム部１２が細長い場合であっても、上記内方側消しゴム部１２の折れや破損から保護することができる。
【００１５】
請求項４記載の発明によれば、上記内方側消しゴム部１２は、断面円形に形成されていることから、文字等の消去作業時において、上記消しゴム１０の向きに関わらず紙面等に
書かれた文字等を消去することができるとともに、上記内方側消しゴム部１２の角部により、紙面等に書かれた直線状細部の消去を容易に行うことができる。
【００１６】
請求項５記載の発明によれば、上記内方側消しゴム部１２は、断面多角形に形成されていることから、上記多角形を形成する頂点角部を紙面等に書かれた文字等に当接させることができ、文字等の細部を消去することができる。
【発明を実施するための最良の形態】
【００１７】
以下、添付図面に示す実施の形態に基づき、本発明にかかる消しゴム１０を詳細に説明する。
【００１８】
本実施の形態に係る消しゴム１０は、図１に示すように、
外方側消しゴム部１１と、上記外方側消しゴム部１１内方に配置される内方側消しゴム部１２とを備え、上記外方側消しゴム部１１には内方側消しゴム部１２の収納部１４が設けられ、内方側消しゴム部１２は上記収納部１４内に移動可能に配置され、上記内方側消しゴム部１２の使用時には上記外方側消しゴム部１１の外方に突出しうるように構成されている。
また、上記収納部１４は上記外方側消しゴム部１１を貫通して設けられ、上記外方側消しゴム部１１外方から上記内方側消しゴム部１２を押圧することにより上記内方側消しゴム部１２を上記外方側消しゴム部１１外方へ突出しうるように構成されている。
また、上記外方側消しゴム部１１は全体直方体に形成され、上記内方側消しゴム部１２は上記外方側消しゴム部１１と同一の長さ寸法に形成されている。
また、上記内方側消しゴム部１２は断面円形に形成されている。また、上記内方側消しゴム部１２は断面多角形に形成されている。
【実施例】
【００１９】
本実施例において、消しゴム１０には、図１に示すように、外方側消しゴム部１１内方に内方側消しゴム部１２が収納されているが、紙面等に書かれた文字等の細部を消去する際には、上記内方側消しゴム部１２を上記外方側消しゴム部１１の外方に突出させて用いられる。
【００２０】
図１に示すように、消しゴム１０は、外方側消しゴム部１１と、上記外方側消しゴム部１１の内方に設けられた収納部１４に収納された内方側消しゴム部１２と、上記外方側消しゴム部１１の外部を覆う外装部１９とにより構成されている。
本実施例にあっては、上記外方側消しゴム部１１が全体直方体に形成されている場合を例に説明しているが、上記外方側消しゴム部１１は、立方体、円筒体又は、断面星型など、断面多角形の立体形状でもよい。
また、本実施例にあっては、上記外方側消しゴム部１１は幅寸法１９ｍｍ、長さ寸法１０ｍｍ、高さ寸法４８ｍｍ程度であるが、本件発明は上記寸法に限定されるものではない。
【００２１】
図１、２に示すように、上記収納部１４は、上記外方側消しゴム部１１の幅方向略中央部において、上記外方側消しゴム部１１の長さ方向に沿って貫通した直方体の中空の孔部１３により形成されている。
本実施例にあっては、上記収納部１４は直方体の中空の孔部１３により形成されている場合を例に説明しているが、上記収納部１４の断面形状は、正方形、円形や星型等の多角形により形成されてもよい。
【００２２】
図１〜４に示すように、上記内方側消しゴム部１２は、上記外方側消しゴム部１１の幅方向中央部に配置された上記収納部１４において、上記外方側消しゴム部１１の長さ方向に対し摺動可能に配設され、上記外方側消しゴム部１１の長さ寸法と略同寸法に形成されている。
上記内方側消しゴム部１２の断面形状は四角形であり、上記内方側消しゴム部１２の全体形状は略直方体に形成されている。
本実施例にあっては、上記内方側消しゴム部１２の断面形状が四角形である場合を例に説明しているが、上記内方側消しゴム部１２の断面形状は、図５に示すように、円形でもよく、また正方形、星型等の多角形でもよい。
上記内方側消しゴム部１２の断面径は、鉛筆やボールペン、筆記具等の棒状具３１を挿入しうる径寸法に形成されている。
上記内方側消しゴム部１２の断面幅径を５．５ｍｍ程度にすることにより、上記棒状具３１の鉛筆やボールペン等の筆記部先端部２７が挿入しうる幅径となり、上記内方側消しゴム部１２の幅径を細くすることができ、より詳細な文字等の細部の消去を容易に行うことが可能となる。
また、上記内方側消しゴム部１２の断面幅径を上記棒状具３１の筆記具等の外部幅径よりも大きくすることにより、上記棒状具３１の把持部が挿入しうる幅径となり、上記内方側消しゴム部１２の幅径が比較的太くすることができ、上記内方側消しゴム部１２による文字等の消去時において破断性能が向上する。
【００２３】
上記外方側消しゴム部１１及び内方側消しゴム部１２は、天然ゴムや、合成ゴムを主材料としたいわゆるプラスチック消しゴム、又は上記合成消しゴム等に研磨剤等を混練した硬質消しゴムにて形成される。
上記外方側消しゴム部１１と上記内方側消しゴム部１２は同質の消しゴム材料であっても、異質の消しゴム材料であってもよい。
【００２４】
図１〜５に示すように、上記外装部１９は、紙、合成樹脂、フィルム等により形成され、上記外方側消しゴム部１１の側面部２９の周囲を筒型状に覆う上記消しゴム１０を収容するケースとして形成されている。
上記外装部１９は、上記外方側消しゴム部１１の側面部２９の周囲に密接して、断面形状が四角形の筒型状に形成され、上記外方側消しゴム部１１の長さ寸法よりも短い長さ寸法に形成されている。
本実施例にあっては、上記外装部１９の断面形状が四角形に形成されている場合を例に説明しているが、上記外方側消しゴム部１１の断面形状が、円形や星型などの多角形である場合には、上記外方側消しゴム部１１の断面形状に合わせて、上記外装部１９は断面円形や星型などの断面多角形の筒型状に形成される。
【００２５】
以下、添付図面に示す実施例に基づき、本発明に係る消しゴム１０の作用について詳細に説明する。
上記消しゴム１０は、上記外方側消しゴム部１２及び上記内方側消しゴム部１１を紙面等に書かれた鉛筆またはボールペン等の軌跡に当接させることにより、紙面等に書かれた文字等を広い範囲にわたって消去すると共に、上記内方側消しゴム部１２を突出させることにより、文字等の細部を消すことが可能な消しゴムとして用いられる。
【００２６】
図２に示すように、上記内方側消しゴム部１２は、上記外方側消しゴム部１１と同一の長さ寸法を有し、上記内方側消しゴム部１２を上記外方側消しゴム部１１内方に設けられた収納部１４に配置され、上記内方側消しゴム部１２は、上記外方側消しゴム部１１内に収納されている。
上記内方側消しゴム部１２が上記外方側消しゴム部１１内に収納された状態において、上記内方側消しゴム部１２の先端部２３と、上記外方側消しゴム部１１の先端部２２を同一平面状に配置した場合、上記消しゴム１０において紙面等に当接する面は、上記内方側消しゴム部１２の先端部２３及び上記外方側消しゴム部１１の先端部２２となる。
したがって、上記消しゴム１０が図２に示すように、上記内方側消しゴム部１２の先端部２３と、上記外方側消しゴム部１１の先端部２２を同一平面状に配置した場合、紙面等に当接する接地面積が大きくなるため、紙面等に書かれた文字等を広い範囲にわたって消去することが可能となる。
【００２７】
図３に示すように、上記外方側消しゴム部１１の底面部３２に設けられた挿入孔２４に鉛筆等の棒状具３１の筆記部先端部２７を挿入して、上記内方側消しゴム部１２の下端面部２８を押圧することにより、上記外方側消しゴム部１１の先端部２２より、上記内方側消しゴム部１２の先端部２３を突出させ、紙面等に書かれた文字等の細部を消去することができる。
【００２８】
使用に際しては、上記内方側消しゴム部１２を上記外方側消しゴム部１１より突出させた状態において、上記消しゴム１０の側面部２９を指などで把持することにより、上記消しゴム１０の側面部２９は内方に押圧される。
上記消しゴム部は、天然ゴムや、合成ゴムを主材料とした消しゴムであることから、比較的軟質であるため、上記側面部２９の内方への押圧により、上記外方側消しゴム部１１は内方に撓み、上記収納部１４に収納された上記内方側消しゴム部１２を把持することができる。
このことにより、上記内方側消しゴム部１２を紙面等に当接させ文字等の消去を行っている場合であっても、上記内方側消しゴム部１２は上記外方側消しゴム部１１の収納部１４内に後退せず、上記内方側消しゴム部１２において、細かい文字等の消去を行うことができる。
上記消しゴム１０の側面部を把持しない状態で、上記内方側消しゴム部１２の先端部２３を紙面等に当接させることにより、上記内方側消しゴム部１２を上記外方側消しゴム部１１内の収納部１４内に収納することができる。
本実施例にあっては、上記棒状具３１は、鉛筆である場合を例に説明しているが、上記棒状具３１は、ボールペン、万年筆等の筆記具等であってもよい。
【００２９】
上記内方側消しゴム部１２を突出させ、上記内方側消しゴム部１２の先端外縁部２１にて文字等の細部を消去した場合にあっては、図３、６にあるように、上記内方側消しゴム部１２の先端外縁部２１が次第に摩耗し、その結果、先端中央部２０が凸状となる。
このような場合には、図７にあるように、上記内方側消しゴム部１２を上記外方側消しゴム部１１内の収納部１４に収納した状態で、外方側消しゴム部１１の先端部２２側を紙面に略平行に当接させた状態で、紙面等に書かれた文字等の消去を行う。
この場合、紙面等に当接する箇所は、上記外方側消しゴム部１１の先端部２２、及び上記内方側消しゴム部１２の先端部２３のうち、先端中央部２０のみが当接することとなる。
上記内方側消しゴム部１２を上記外方側消しゴム部１１内の収納部１４に収納させた状態において、文字等の消去を行った場合には、上記外方側消しゴム部１１が徐々に摩耗し、上記外方側消しゴム部１１が摩耗すると同時に上記内方側消しゴム部１２の長さ寸法が摩耗することにより、上記外方側消しゴム部１１と上記内方側消しゴム部１２の双方の長さ寸法が短縮され、上記内方側消しゴム部１２の先端中央部２０が紙面等に当接する部位面積が広くなり、上記内方側消しゴム部１２の先端外縁部２１の角部１５は図３に示すように丸みを帯びた形状から、徐々に内方側消しゴム部１２の角部１５が形成される。
【００３０】
また、図４にあるように、上記内方側消しゴム部１２の上記先端中央部２０のみを上記外方側消しゴム部１１の先端部２２より突出させ、上記内方側消しゴム部１２の残り部分を上記外方側消しゴム部１１内の収納部１４に収納した状態で、紙面等に書かれた文字等の消去を行う。
この場合、紙面等に当接する箇所は、上記外方側消しゴム部１１の先端部２２、及び上記内方側消しゴム部１２の先端部２３のうち、先端中央部２０のみが当接するように突出させる。上記内方側消しゴム部１２の突出寸法は、上記内方側消しゴム部１２の使用状況により異なるが、0.1mm以上10.0mm程度突出させて使用する。
上記内方側消しゴム部１２の先端中央部２０を上記外方側消しゴム部１１の先端部２２より突出させた状態において、紙面等に書かれた文字等の消去を行った場合、上記内方側消しゴム部１２の先端部２３のうち、上記先端中央部２０が紙面等に当接していることから、上記先端中央部２０が摩耗することとなる。
上記内方側消しゴム部１２の先端中央部２０における長さ寸法は、先端外縁部２１における長さ寸法と同程度の長さ寸法となり、上記内方側消しゴム部１２の先端外縁部２１の角部１５は図３に示すように丸みを帯びた形状から、徐々に角部１５が形成される。
【産業上の利用可能性】
【００３１】
本件発明は、細部を消すことができるとともに、上記消しゴムの角部を再生することができる消しゴムに適用できるものである。
【図面の簡単な説明】
【００３２】
【図１】図１は本発明に係る消しゴムの内方側消しゴム部を外方側消しゴム部より突出させた状態を示す全体斜視図である。
【図２】図２は本発明に係る消しゴムの内方側消しゴム部を外方側消しゴム部１１内に収納させた状態を示す全体斜視図である。
【図３】図３は本発明に係る消しゴムの先端部の角部が丸くなった内方側消しゴム部を外方側消しゴム部より突出させた状態を示す全体斜視図である。
【図４】図４は本発明に係る消しゴムの内方側消しゴム部の先端部のうち先端中央部のみを外方側消しゴム部より突出させた状態を示す全体斜視図である。
【図５】図５は本発明に係る内方側消しゴム部が円筒形である実施形態を示す側面図である。
【図６】図６は本発明に係る内方側消しゴム部の実施形態を示す側面図である。
【図７】図７は本発明に係る消しゴムの内方側消しゴム部を外方側消しゴム部１１内に収納させた状態を示す全体斜視図である。
【符号の説明】
【００３３】
１０消しゴム
１１外方側消しゴム部
１２内方側消しゴム部
１３孔部
１４収納部
１５角部
１９外装部
２０先端中央部
２１先端外縁部
２２先端部
２３先端部
２４挿入孔
２７筆記部先端部
２８下端面部
２９側面部
３１棒状具
３２底面部
【図１】
2005335211.tif 000003
【図２】
2005335211.tif 000004
【図３】
2005335211.tif 000005
【図４】
2005335211.tif 000006
【図５】
2005335211.tif 000007
【図６】
2005335211.tif 000008
【図７】
2005335211.tif 000009